【手続補正書】
【提出日】平成15年11月4日(2003.11.4)
【手続補正１】
【補正対象書類名】明細書
【補正対象項目名】０００３
【補正方法】変更
【補正の内容】
【０００３】
ところで、広範囲な地域にわたる気象情報は無料で取得できるが、きめ細かな気象情報や分析結果は専門のサービス業者から取得しなければならず、また高価であった。また、複数の測候サイトから繰り返し生成される気象データをクライアントサイトで繰り返し時々刻々と表示することが望まれる。
なお、この発明と関連する先行技術としては以下のものがある。
（ａ）山本謙治、“インターネット・ｗｗｗの農業への利用”、ＳＨＩＴＡ  ＲＥＰＯＲＴ、日本植物工場学会、平成８年１月１７日、第１１号、ｐ．１０〜１８：
この文献には、「外部情報機器（カメラ、気象センサーなど）との情報授受もＣＧＩを通して活用することができる。」（第１３頁第２行〜第３行）旨が開示され、また、「ＨｏｔＪａｖａブラウザは、Ｊａｖａ言語で記述されたプログラムを受け取り、それをブラウザ上で起動するのである。サ−バの仕事はＪａｖａで記述されたプログラムを受け渡すだけであり、既存のものでかまわない。プログラムを起動し、動作させるのはブラウザなのである。プログラムが起動した後はサーバに接続する必要がないのである。・・・中には表計算を実現しているものや、証券取引の掲示板をリアルタイムで表示するようなプログラムも登場している。」（第１４頁第１行〜第１８行）と開示され、また、「米国における気象情報サービスは、ローカルエリアの気象から、国土全体の気温分布にいたるまで様々な情報提供がなされている。しかもそれらが何の課金もされずに使用可能であることが多い。例えばＮａｔｉｏｎａｌ Ｗｅａｔｈｅｒ ｓｅｒｖｉｃｅによるＳｏｕｔｈｗｅｓｔ  Ａｇｒｉｃｕｌｔｕｒａｌ Ｗｅａｔｈｅｒ  Ｓｅｒｖｉｃｅ ＣｅｎｔｅｒというＷＷＷサイトでは、アメリカ南西部全てをカバーした気象情報サービスだが、とくに農業気象に関しての地区別のアドバイスが得られる。」（第１６行下から４行〜第１７頁第２行）と開示されている。
しかし、この文献では、気象情報は、静的なものであり（少なくとも繰り返し生成された気象データ繰り返し表示するものではない。上記Ｊａｖａでは一度サーバに接続した後は再度サーバから情報を取得する必要がないことが利点となっている）を、複数の測候サイトで生成された時々刻々変化する気象データをＷＷＷサーバに送り、これをクライアント装置が受取り、時々刻々変化する気象情報を表示できるようにすることは何ら開示していない。
（ｂ）“Ｊａｖａを利用するスクリプト言語や開発ツールが続々登場、米Ｍｉｃｒｏｓｏｆｔなどが標準仕様を競う”、日経エレクトロニクス、日経ＢＰ社、平成８年１月１日、第６５２号、ｐ．１３〜１５：
この文献には、Ｊａｖａアプレットを用いることにより端末側をインテリジェント化することが開示され、「現在のＷＷＷでは、ＷＷＷサーバと端末がつながっているのは、ＨＴＭＬ文書などを転送している間だけだ。文書や画像の表示処理はすべて端末側で実行する（図１（ａ））。」（第１３頁右欄第１３行〜第１７行）と開示され、また、「たとえば最新の気象情報を取得するためのアプレットを用意する。ユーザが端末で天気を知りたい地域を指示したら、スクリプトでその情報をアプレットに渡す。アプレットはＷＷＷサーバと通信し、指示された地域の最新情報を要求する。返信内容をＨＴＭＬ文書に埋め込んで端末に天気図として表示する。」（第１４頁左欄第１２行〜第２０行）参照。）と開示されている。
しかし、この文献でも、気象情報は、静的なものであり（データが転送された後はサーバへの接続を断ち、サーバから情報を取得しない）、複数の測候サイトで生成された時々刻々変化する気象データをＷＷＷサーバに送り、これをクライアント装置が受取り、時々刻々変化する気象情報を表示できるようにすることは何ら開示していない。
（ｃ）“Ｊａｖａの活用法”、ＪＡＶＡ  ｍａｇａｚｉｎｅ、株式会社工学社、平成８年９月１０日、第２号、ｐ．４９〜５３：
この文献においては、「ＷＮＩが開発した「Ｊａｖａを使った気象情報アプリケーション」は、ＷＮＩの気象データを、リアルタイムで離れた端末へ表示させるものです。」（第５１頁右欄第１５行〜第１７行）と開示されているが、放送電波の隙間を使ったデータ放送により気象図等を一方向にデータを自動販売機に送るものであり、単に、受信表示プログラムをアプレットで構成したことしか開示していない。
この文献にも、気象情報は、静的なものであり、複数の測候サイトで生成された時々刻々変化する気象データをＷＷＷサーバに送り、これをクライアント装置が受取り、時々刻々変化する気象情報を表示できるようにすることは何ら開示していない。
（ｄ）“インターネット時代の新言語，勢いはビジネス用途にも波及”、日経オープンシステム、日経ＢＰ社、平成８年２月１５日、第３５号、ｐ．２６２〜２７３：
この文献には、「まずインターネットへの応用から・・・情報提供側は、ＷＷＷサーバー上のページに、Ｊａｖａで作成したアプリケーションを埋め込んでおく。・・・このＪａｖａプログラムを使うことで、・・・グラフがリアルタイムで書き変わる、などである。・・・ビジネス分野への応用範囲は広い・・・写真１は、Ｊａｖａを使用した株価情報提供システムである。まずＷＷＷサーバーにアクセスし、・・・写真２は気象情報提供ページだ。画面にあるチェック・ボックスをクリックすると，気象衛星が撮影した写真や等圧線，前線，州境などが表示される。これらは情報参照系システムの例だが，セキュリティの問題をクリアすればデータを更新するアプリケーションも作れる。」（第２６３頁左欄第１７行〜第２６４頁左欄第１１行）参照。）と開示されているが、チェックボタンを操作すると静的な気象図が表示されるだけであり、少なくとも気象データに関してはそれが時々刻々と変化するわけではない。
この文献にも、気象情報は、静的なものであり、複数の測候サイトで生成された時々刻々変化する気象データをＷＷＷサーバに送り、これをクライアント装置が受取り、時々刻々変化する気象情報を表示できるようにすることは何ら開示していない。
【手続補正２】
【補正対象書類名】明細書
【補正対象項目名】０００５
【補正方法】変更
【補正の内容】
【０００５】
【課題を解決するための手段】
この発明によれば、上述の目的を達成するために、特許請求の範囲に記載のとおりの構成を採用している。ここでは、この発明を詳細に説明する前に、特許請求の範囲の記載について補充的な説明を加えておく。
すなわち、この発明の一側面によれば、気象情報提供装置に：気象情報提供用のウェブページを記憶するＷＷＷサーバ装置と；上記ＷＷＷサーバ装置にネットワークを介して接続された複数の測候システムと；上記ウェブページを上記ＷＷＷサーバ装置から取り出すクライアント装置とを設け；上記複数の測候システムの各々は、当該測候システムの所在地において気象に関する物理量を繰り返し観測して気象データを繰り返し生成する気象データ生成手段と；上記気象データを上記ネットワークを介して上記ＷＷＷサーバ装置に転送する転送手段とを有し；上記クライアント装置は、上記ウェブページを利用して、上記ＷＷＷサーバ装置に転送された上記繰り返し生成される気象データを上記ネットワークを介して取得する手段と；上記ネットワークを介して取得した上記繰り返し生成される気象データに基づいて、上記繰り返し生成される気象データを表すグラフィックスを描画する手段と；上記グラフィックスを表示する手段とを有するようにしている。
【手続補正３】
【補正対象書類名】明細書
【補正対象項目名】０００６
【補正方法】変更
【補正の内容】
【０００６】
この構成においては、複数の測候サイトで繰り返し生成した気象データをＷＷＷサーバに送り、この繰り返し生成される気象データをＷＷＷサーバを経てクライアント装置で受取り、そのウェブページを利用して表示するようにしているので、広く用いられているブラウザを用いて、あちこちの測候サイトの時々刻々変化する気象データを簡易に提供できる。また必要な機材も安価である。


【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】